(57)【要約】【課題】ショーケース本体の開放面でエアカーテンを形成する冷却ショーケースにおいて、ショーケース本体の周囲の気流の影響により、エアカーテンが崩れてしまうのを回避する。【解決手段】冷却ショーケースには、吹出温度Ｔｏを検出する吹出温度センサ（46）と、吸込温度Ｔｉを検出する吸込温度センサ（47）と、庫外温度Ｔａを検出する庫外温度センサ（72）とが設けられる。算出部（81）は、各温度センサ（46,47,72）の検出値に基づいて、外部気流の風速を示す指標となる空気循環量αを算出する。制御手段（80）は、空気循環量αが最適空気循環量αsetに近づくように庫内ファン（43）の送風量を調節する。【選択図】図３
2008164209.tif 000002
【特許請求の範囲】
【請求項１】
一面が開放面（51）となった収容空間（52）を形成すると共に、該収容空間（52）の開放面の周縁に沿って開口する吸込口（55）及び吹出口（54）と、該吸込口（55）から吹出口（54）に至る循環通路（56）が設けられるショーケース本体（50）と、
上記循環通路（56）に設置される送風ファン（43）と、
上記循環通路（56）を流れる空気を冷却するための冷却手段（42）とを備え、
上記吹出口（54）から吹き出した空気で上記収容空間（52）を冷却すると共に、該吹出口（54）から吹き出した空気を上記吸込口（55）から吸い込むことで収容空間（52）の開口面に沿ったエアカーテンを形成する冷却ショーケースであって、
上記ショーケース本体（50）の外側から開放面（51）へ向かう気流の風速を示す指標を検出する検知手段（70）と、
上記検知手段（70）で検出した指標に基づいて上記送風ファン（43）の送風量を調節する制御手段（80）とを備えていることを特徴とする冷却ショーケース。
【請求項２】
請求項１において、
上記検知手段（70）は、上記ショーケース本体（50）の外側から開放面（51）へ向かう気流の風速を検出する風速計（71）で構成されていることを特徴とする冷却ショーケース。
【請求項３】
請求項１において、
上記検知手段（70）は、上記吹出口（54）の吹出空気の温度を検出する吹出温度センサ（46）と、上記吸込口（55）の吸込空気の温度を検出する吸込温度センサ（47）とを備え、上記吹出温度センサ（46）の検出温度Ｔｏと、上記吸込温度センサ（47）の検出温度Ｔｉとを、上記ショーケース本体（50）の外側から開放面（51）へ向かう気流の風速を示す指標として検出することを特徴とする冷却ショーケース。
【請求項４】
請求項３において、
上記検知手段（70）は、上記ショーケース本体（50）の外側の空気の温度を検出する庫外温度センサ（72）を備え、上記吹出温度センサ（46）の検出温度Ｔｏと上記吸込温度センサ（47）の検出温度Ｔｉと庫外温度センサ（72）の検出温度Ｔａとを、上記ショーケース本体（50）の外側から開放面（51）へ向かう気流の風速を示す指標として検出することを特徴とする冷却ショーケース。
【請求項５】
請求項１において、
上記検知手段（70）は、ショーケース本体（50）の収容空間（52）の空気の温度を検出する庫内温度センサ（73）を備え、該庫内温度センサ（73）の検出温度Ｔｒを、上記ショーケース本体（50）の外側から開放面（51）へ向かう気流の風速を示す指標として検出することを特徴とする冷却ショーケース。
【請求項６】
請求項５において、
上記庫内温度センサ（73）は、ショーケース本体（50）の開放面（51）近傍に配置されていることを特徴とする冷却ショーケース。
【発明の詳細な説明】
【技術分野】
【０００１】
本発明は、開放型の冷却ショーケースに関し、特にショーケース本体の開放面でエアカーテンを形成する冷却ショーケースに係るものである。
【背景技術】
【０００２】
従来より、スーパーやコンビニエンスストア等において、開放型の冷却ショーケースが知られている。
【０００３】
例えば特許文献１や特許文献２には、この種の冷却ショーケースが開示されている。この冷却ショーケースは、一面が開放するショーケース本体の収容空間の内壁に吹出口及び吸込口が開口している。これら吹出口と吸込口とは、互いに向かい合うように配置されている。また、吸込口と吹出口とは、循環通路を介して互いに繋がっている。この循環通路には、空気を冷却するための冷却器（蒸発器）と、空気を送風する送風ファンとが設置されている。
【０００４】
この冷却ショーケースの運転時には、上記冷却器内を冷媒が流れるとともに、送風ファンが所定の送風量となるように駆動され、ショーケース本体内で空気が循環する。具体的には、送風ファンの運転に伴い吸込口から循環通路に吸引された空気は、冷却器で冷却される。冷却器で冷却された空気は、吹出口からショーケース本体の内側へ吹き出され、ショーケース内の冷却が行われる。吹出口から吹き出された空気は、ショーケース本体の開放面に沿うような気流となって吸込口に吸引される。つまり、この冷却ショーケースでは、ショーケース本体の開放面でエアカーテンが形成される。このエアカーテンにより、冷却ショーケースの外部の空気が開放面を通じて収容空間内に流入してしまうことが抑制され、ショーケース本体内の冷却効果の向上が図られている。
【特許文献１】特公平１−３２９１５号公報
【特許文献２】実開昭６１−１２３３７５号公報
【発明の開示】
【発明が解決しようとする課題】
【０００５】
上述のような開放型の冷却ショーケースでは、エアカーテンによって外気の侵入を防ぐことが、省エネ性の向上に大きく寄与している。ところが、例えばスーパーやコンビニエンスストア等においては、冷却ショーケースの周囲に設置された空調機からショーケース本体の開放面へ空気が吹き出されるようなこともある。このため、このような冷却ショーケースの周囲の気流の影響により、開放面のエアカーテンが崩れてしまうことがある。その結果、ショーケース本体の外側の空気が収容空間内に流入してしまい、この冷却ショーケースの省エネ性が損なわれてしまうという問題が生じる。
【０００６】
本発明は、かかる点に鑑みてなされたものであり、その目的は、ショーケース本体の周囲の気流の影響により、エアカーテンが崩れてしまうことを回避することである。
【課題を解決するための手段】
【０００７】
第１の発明は、一面が開放面（51）となった収容空間（52）を形成すると共に、該収容空間（52）の開放面の周縁に沿って開口する吸込口（55）及び吹出口（54）と、該吸込口（55）から吹出口（54）に至る循環通路（56）が設けられるショーケース本体（50）と、上記循環通路（56）に設置される送風ファン（43）と、上記循環通路（56）を流れる空気を冷却するための冷却手段（42）とを備え、上記吹出口（54）から吹き出した空気で上記収容空間（52）を冷却すると共に、該吹出口（54）から吹き出した空気を上記吸込口（55）から吸い込むことで収容空間（52）の開口面に沿ったエアカーテンを形成する冷却ショーケースを前提としている。そして、この冷却ショーケースは、上記ショーケース本体（50）の外側から開放面（51）へ向かう気流の風速を示す指標を検出する検知手段（70）と、上記検知手段（70）で検出した指標に基づいて上記送風ファン（43）の送風量を調節する制御手段（80）とを備えていることを特徴とするものである。
【０００８】
第１の発明では、一面が開放されたショーケース本体（50）に吹出口（54）と吸込口（55）と循環通路（56）とが形成される。また、ショーケース本体（50）の内部には、例えば生鮮食品等が陳列される収容空間（52）が形成される。循環通路（56）の送風ファン（43）が駆動されると、吸込口（55）から循環通路（56）内へ空気が吸い込まれる。この空気は、循環通路（56）内の冷却手段（42）によって冷却される。冷却された空気は吹出口（54）から収容空間（52）へ供給され、収容空間（52）の冷却が行われる。また、吹出口（54）からの吹出空気は、開放面（51）に沿ったエアカーテンを形成しながら吸込口（55）に再び吸引される。このエアカーテンによって、ショーケース本体（50）の外側の空気が収容空間（52）内に流入してしまうことが抑制される。
【０００９】
ところが、上述のように、空調機等から吹き出される空気が、ショーケース本体（50）の開放面（51）へ向かう気流となる場合には、開放面（51）に形成されるエアカーテンが崩れてしまい、ショーケース本体（50）の外側の空気が開放面（51）を通じて収容空間（52）に流入し易くなってしまう。そこで、本発明では、このようショーケース本体（50）の外側から開放面（51）へ向かう気流（以下、外部気流と称する）の風速を示す指標（以下、風速指標と称する）を検出し、この風速指標に基づいて送風ファン（43）の送風量を調節するようにしている。
【００１０】
具体的には、本発明では、冷却ショーケースの運転時において、検知手段（70）が上記外部気流の風速指標を検出する。つまり、検知手段（70）は、空調機等からショーケース本体（50）の開放面（51）に向かってどの程度の勢いで空気が吹き出されているかを検出する。そして、例えばこの外部気流の風速が比較的大きく、検知手段（70）で検出した風速指標も比較的大きくなる場合には、制御手段（80）が送風ファン（43）の送風量を増大変化させる。その結果、吹出口（54）の吹出空気の風速、あるいは吸込口（55）の吸込空気の風速が増大し、より強固なエアカーテンが形成される。従って、外部気流の風速が比較的大きい条件下においても、エアカーテンが崩れてしまうことがない。
【００１１】
一方、例えば外部気流の風速がほとんどなく、検知手段（70）で検出した風速指標も比較的小さくなる場合には、制御手段（80）が送風ファン（43）の送風量を減少変化させる。従って、外部気流の風速が比較的小さい条件下においては、送風ファン（43）の動力を必要最小限としながら、充分なエアカーテンを形成することができる。
【００１２】
第２の発明は、第１の発明の冷却ショーケースにおいて、上記検知手段（70）が、上記ショーケース本体（50）の外側から開放面（51）へ向かう気流の風速を検出する風速計（71）で構成されていることを特徴とするものである。
【００１３】
第２の発明では、上記検知手段（70）として、外部気流の風速を直接計測する風速計（71）が用いられる。
【００１４】
第３の発明は、第１の発明の冷却ショーケースにおいて、上記検知手段（70）は、上記吹出口（54）の吹出空気の温度を検出する吹出温度センサ（46）と、上記吸込口（55）の吸込空気の温度を検出する吸込温度センサ（47）とを備え、上記吹出温度センサ（46）の検出温度Ｔｏと上記吸込温度センサ（47）の検出温度Ｔｉとを、上記ショーケース本体（50）の外側から開放面（51）へ向かう気流の風速を示す指標として検出することを特徴とするものである。
【００１５】
第３の発明では、検知手段（70）として吹出温度センサ（46）と吸込温度センサ（47）とが設けられ、吹出温度センサ（46）の検出温度（吹出温度Ｔｏ）と吸込温度センサ（47）の検出温度（吸込温度Ｔｉ）とが外部気流の風速指標として検出される。即ち、吸込口（55）に吸い込まれる吸込温度Ｔｉは、吹出口（54）からの吹出空気の吹出温度Ｔｏに概ね依存するが、外部気流の風速の影響によっても変化する。具体的には、例えば外部気流の風速が比較的大きくなり、エアカーテンが崩れてしまうと、外部気流が吸込口（55）に吸引される量も多くなり、吸込温度Ｔｉが比較的高くなる。一方、外部気流の風速が小さく、エアカーテンが充分に形成されている場合には、吸込口（55）には外部気流がほとんど吸い込まれないので、吸込温度Ｔｉが比較的低くなる。そこで、本発明の制御手段（80）は、吹出温度Ｔｏ及び吸込温度Ｔｉを風速指標とし、この風速指標に基づいて送風ファン（43）の送風量を調節するようにしている。
【００１６】
第４の発明は、第３の発明の冷却ショーケースにおいて、上記検知手段（70）が、ショーケース本体（50）の外側の空気の温度を検出する庫外温度センサ（72）を備え、上記吹出温度センサ（46）の検出温度Ｔｏと上記吸込温度センサ（47）の検出温度Ｔｉと庫外温度センサ（72）の検出温度Ｔａとを、上記ショーケース本体（50）の外側から開放面（51）へ向かう気流の風速を示す指標として検出することを特徴とするものである。
【００１７】
第４の発明では、検知手段（70）として庫外温度センサ（72）も設けられ、庫外温度センサ（72）の検出温度（庫外温度Ｔａ）、上記吹出温度Ｔｉ、及び上記吸込温度Ｔｏとが、外部気流の風速指標として検出される。その結果、外部気流の温度変化の影響を考慮しながら、送風ファン（43）の送風量を正確に制御することができる。
【００１８】
この点について具体的に説明する。例えば冷却ショーケースの周囲の温度が比較的高い条件下では、外部気流が吸込口（55）に少ししか吸引されなくても吸込温度Ｔｉが上がり易くなる。従って、このような条件下で吸込温度Ｔｉを外部気流の風速指標として用いると、実際には外部気流の風速が比較的小さく、充分なエアカーテンが形成されているにも拘わらず、送風ファン（43）の送風量が大きめに制御され、無駄にファン動力を費やしてしまうことがある。
【００１９】
また逆に、冷却ショーケースの周囲の温度が比較的低い条件下では、外部気流が吸込口（55）に大量に吸引されていても吸込温度Ｔｉが上がりにくくなる。従って、このような条件下で、吸込温度Ｔｉを外部気流の風速指標として用いると、実際には外部気流の風速が比較的大きく、エアカーテンが崩れているにも拘わらず、送風ファン（43）の送風量が小さめに制御され、ショーケース本体（50）内に外気が侵入し易くなってしまう。そこで第４の発明では、このような外部気流の温度変化に起因して、送風ファン（43）の送風量制御に誤差が生じてしまうのを回避するために、庫外温度Ｔａも風速指標として用いるようにしている。
【００２０】
具体的には、例えば庫外温度Ｔａが比較的高い場合には、外部気流の温度も比較的高く吸込温度Ｔｉが上昇し易い。このため、このような場合には、制御手段（80）が、庫外温度Ｔａを考慮して送風ファン（43）の送風量を小さめに制御する。その結果、実際には充分なエアカーテンが形成されているが、外部気流の温度が高いような条件下において、送風ファン（43）の送風量が過剰となってしまうことがない。従って、庫外温度Ｔａが比較的高い条件下において、送風ファン（43）の動力が無駄となってしまうことが回避される。
【００２１】
また逆に、例えば庫外温度Ｔａが比較的小さい場合には、外部気流の温度も比較的低く吸込温度Ｔｉが上昇しにくい。このため、このような場合には、制御手段（80）が、庫外温度Ｔａを考慮して送風ファン（43）の送風量を多めに制御する。その結果、実際にはエアカーテンが崩れているが、外部気流の温度が低いような条件下において、送風ファン（43）の送風量が不足してしまうことがない。従って、庫外温度Ｔａが比較的低い条件下において、エアカーテンが崩れることに起因してショーケース本体（50）に外気が侵入してしまうことが抑制される。
【００２２】
第５の発明は、第１の発明の冷却ショーケースにおいて、上記検知手段（70）が、ショーケース本体（50）の収容空間（52）の空気の温度を検出する庫内温度センサ（73）を備え、該庫内温度センサ（73）の検出温度Ｔｒを、上記ショーケース本体（50）の外側から開放面（51）へ向かう気流の風速を示す指標として検出することを特徴とするものである。
【００２３】
第５の発明では、庫内温度センサ（73）の検出温度（庫内温度Ｔｒ）が、外部気流の風速指標として検出される。即ち、ショーケース本体（50）の収容空間（52）の空気の温度は、エアカーテンが崩れているか否かで大きく変化する。具体的には、外部気流の風速が比較的大きくエアカーテンが崩れている場合には、収容空間（52）内に外気が侵入し易くなるので、庫内温度Ｔｒも高くなり易い。また逆に、外部気流の風速が比較的小さく充分なエアカーテンが形成されている場合には、収容空間（52）に外気が侵入しにくくなるので、庫内温度Ｔｒも低くなり易い。そこで、本発明の制御手段（80）は、この庫内温度Ｔｒを風速指標とし、庫内温度Ｔｒに基づいて送風ファン（43）の送風量を制御するようにしている。
【００２４】
第６の発明は、第６の発明の冷却ショーケースにおいて、上記庫内温度センサ（73）は、ショーケース本体（50）の開放面（51）近傍に配置されていることを特徴とするものである。
【００２５】
第６の発明では、庫内温度センサ（73）がショーケース本体（50）の開放面（51）の付近に設けられる。ここで、例えば外部気流の風速が比較的大きくなりエアカーテンが崩れると、特に開放面（51）近傍の温度が高くなり易い。また逆に、外部気流の風速が比較的小さくエアカーテンが充分形成されている場合には、この開放面（51）近傍の温度も低くなり易い。そこで、本発明では、この開放面（51）近傍に庫内温度センサ（73）を設けることで、エアカーテンが崩れているか否かをより正確に検出するようにしている。
【発明の効果】
【００２６】
本発明では、検知手段（70）が外部気流の風速指標を求め、制御手段（80）はこの外部気流の風速指標に応じて送風ファン（43）の送風量を調節するようにしている。このため、外部気流の風速が比較的大きくエアカーテンが崩れやすい状態では、送風ファン（43）の送風量を増大させてエアカーテンを確実に形成することができる。従って、空調機等の外部気流が大きくなっても、ショーケース本体（50）の収容空間（52）に外気が流入してしまうのを確実に抑制できる。一方、外部気流の風速が小さい状態では、送風ファン（43）の送風量を減少させることで、送風ファン（43）の動力を削減しながらエアカーテンを維持することができる。
【００２７】
第２の発明によれば、風速計（71）によって外部気流の風速を計測するようにしているので、実際の外部気流の風速を精度良く把握することができる。従って、外部気流の影響によってエアカーテンが崩れてしまうのを確実に防止することができる。
【００２８】
第３の発明では、吹出温度Ｔｏと吸込温度Ｔｉとを外部気流の風速指標として検出するようにしている。このため、本発明によれば、比較的安価なセンサにより外部気流の風速を把握することができる。また、吹出温度センサ（46）や吸込温度センサ（47）を冷却ショーケース内の温度管理、つまり空気を冷却する冷却手段（42）の能力制御に利用することができる。
【００２９】
第４の発明では、吹出温度Ｔｏと吸込温度Ｔｉに加えて、庫外温度Ｔａを外部気流の風速指標として検出するようにしている。このため、本発明によれば、冷却ショーケースが設けられる周囲空間の温度変化を考慮しながら、送風ファン（43）の送風量を変更することができる。従って、例えば室内の温度が急激に変化するような条件下においても、エアカーテンを確実に形成することができる。
【００３０】
第５の発明では、庫内温度Ｔｒを外部気流の風速指標として検出するようにしている。このため、本発明によれば、一つの温度センサのみで送風ファン（43）の送風量を最適に制御できる。また、庫内温度Ｔｒに応じて送風ファン（43）の送風量を制御することで、収容空間（52）への外気の侵入を確実に防止することができる。従って、この冷却ショーケースによって、生鮮食品等の貯蔵物を確実に冷却することができる。
【００３１】
特に、第６の発明によれば、庫内温度センサ（73）を開放面（51）の近傍に配置するようにしたので、エアカーテンが崩れているか否かをより正確に検出することができ、収容空間（52）への外気の侵入を確実に抑制できる。
【発明を実施するための最良の形態】
【００３２】
以下、本発明の実施形態を図面に基づいて詳細に説明する。
【００３３】
《発明の実施形態１》
本発明の実施形態１について説明する。実施形態１に係る冷却ショーケース（14）は、スーパーやコンビニエンスストア等で、生鮮食品等が陳列される、いわゆるオープンショーケースである。この冷却ショーケース（14）は、蒸気圧縮式の冷凍サイクルを行う冷凍装置（10）に適用されるものである。
【００３４】
−冷媒回路の構成−
図１に示すように、冷凍装置（10）は、室外ユニット（12）と、上記冷却ショーケース（14）と、ブースタユニット（16）とを備えている。室外ユニット（12）には、室外回路（20）が収容され、冷却ショーケース（14）には冷却回路（40）が収容され、ブースタユニット（16）にはブースタ回路（60）が収容されている。この冷凍装置（10）では、室外回路（20）に冷却回路（40）及びブースタ回路（60）が接続されることで、冷媒回路（11）が構成されている。この冷媒回路（11）では、内部に充填された冷媒が循環することで、蒸気圧縮式の冷凍サイクルが行われる。
【００３５】
〈室外回路の構成〉
室外ユニット（12）の室外回路（20）には、第１圧縮機（21）及び第２圧縮機（22）と、室外熱交換器（23）と、レシーバ（24）とが接続されている。また、室外ユニット（12）には、室外熱交換器（23）に室外空気を送るための室外ファン（25）が設けられている。
【００３６】
第１圧縮機（21）は可変容量式の圧縮機である。つまり、第１圧縮機（21）は、インバータの出力周波数に応じて電動機の回転速度が可変であり、その運転容量が変更可能となっている。一方、第２圧縮機（22）は固定容量式の圧縮機である。つまり、第２圧縮機（22）は、電動機の回転速度が一定となっている。各圧縮機（21,22）の吐出側は、上記室外熱交換器（23）と接続している。一方、各圧縮機（21,22）の吸入側は、ガス側閉鎖弁（26）と接続している。
【００３７】
室外熱交換器（23）は、クロスフィン型であり、熱源側の熱交換器を構成している。室外熱交換器（23）では、室外ファン（25）が送風する室外空気と冷媒とが熱交換する。レシーバ（24）は、余剰の冷媒を一時的に貯留する密閉状の容器で構成されている。レシーバ（24）は、その頂部が室外熱交換器（23）と接続しており、その下部は液側閉鎖弁（27）と接続している。
【００３８】
また、レシーバ（24）と液側閉鎖弁（27）との間には、液インジェクション管（28）の流入端が接続されている。この液インジェクション管（28）の流出端は、各圧縮機（21,22）の吸入管と接続している。液インジェクション管（28）には、開度が調節可能なインジェクション弁（29）が設けられている。
【００３９】
室外回路（20）には、第１圧縮機（21）の吐出管に第１高圧圧力スイッチ（31）が設けられ、第２圧縮機（22）の吐出管に第２高圧圧力スイッチ（32）が設けられている。また、第２圧縮機（22）の吐出管には、第１逆止弁（CV-1）が設けられている。第１逆止弁（CV-1）は、第２圧縮機（22）の吐出側から室外熱交換器（23）へ向かう冷媒の流通のみを許容している。更に、各圧縮機（21,22）の吐出管の接続箇所には、吐出圧力センサ（33）と吐出温度センサ（34）とが設けられている。一方、各圧縮機（21,22）の吸入管には、吸入圧力センサ（35）と吸入温度センサ（36）とが設けられている。また、室外ファン（25）の近傍には、室外熱交換器（23）に流入する空気の温度を検出する室外空気温度センサ（37）が設けられている。
【００４０】
〈冷却回路の構成〉
冷却ショーケース（14）の冷却回路（40）は、その流入端が液側連絡配管（18）を介して上記液側閉鎖弁（27）と繋がり、その流出端がブースタ回路（60）と繋がっている。冷却回路（40）には、その流入側から順に膨張弁（41）と冷却熱交換器（42）とが接続されている。また、冷却ショーケース（14）には、庫内ファン（43）が設けられている。
【００４１】
膨張弁（41）は、開度が調節可能な電子膨張弁で構成されている。冷却熱交換器（42）は、クロスフィン型であり、利用側の熱交換器を構成している。冷却熱交換器（42）では、庫内ファン（43）が送風する庫内空気と冷媒とが熱交換する。庫内ファン（43）は、モータの回転速度が調節可能なインバータ式のファンで構成されている。つまり、庫内ファン（43）は、その送風量が変更可能に構成されている。
【００４２】
冷却回路（40）には、膨張弁（41）と冷却熱交換器（42）の流入端との間に第１冷媒温度センサ（44）が設けられている。また、冷却熱交換器（42）の出口側には第２冷媒温度センサ（45）が設けられている。更に、冷却ショーケース（14）には、吹出温度センサ（46）と吸込温度センサ（47）とが設けられている。
【００４３】
〈ブースタ回路の構成〉
ブースタユニット（16）のブースタ回路（60）は、その流入端が冷却回路（40）と繋がり、その流出端がガス側連絡配管（19）を介してガス側閉鎖弁（26）と繋がっている。ブースタ回路（60）には、その流入側から順にブースタ圧縮機（61）と油分離器（62）とが接続されている。
【００４４】
ブースタ圧縮機（61）は可変容量式の圧縮機である。つまり、ブースタ圧縮機（61）は、インバータの出力周波数に応じて電動機の回転速度が可変であり、その運転容量が変更可能となっている。油分離器（62）は、ブースタ圧縮機（61）の吐出冷媒中から冷凍機油を分離するためのものである。油分離器（62）には、ブースタ圧縮機（61）の吸入側と繋がる油戻し管（63）が接続されている。この油戻し管（63）には、キャピラリーチューブ（64）が設けられている。
【００４５】
ブースタ回路（60）には、ブースタ圧縮機（61）の吸入側と吐出側とをバイパスするバイパス管（65）が設けられている。バイパス管（65）には、第２逆止弁（CV-2）が設けられている。第２逆止弁（CV-2）は、ブースタ圧縮機（61）の吸入側から吐出側へ向かう冷媒の流通のみを許容している。また、ブースタ圧縮機（61）の吐出管には、第３逆止弁（CV-3）が設けられている。第３逆止弁（CV-3）は、ブースタ回路（60）からガス側連絡配管（19）へ向かう冷媒の流通のみを許容している。
【００４６】
〈冷却ショーケースの詳細構造〉
次に、本発明に係る冷却ショーケース（14）の詳細構造について図２を参照しながら説明する。冷却ショーケース（14）は、前後に扁平な箱状のショーケース本体（50）を備えている。ショーケース本体（50）は、その前面側（図２における左側）に開放面（51）が形成され、その内部には冷却対象となる生鮮食品等が収納される収容空間（52）が形成されている。この収容空間（52）には、生鮮食品等を陳列するための複数の陳列棚（53,53,…）が上下方向に配列されている。また、ショーケース本体（50）には、開放面（51）の周縁に沿って開口する吹出口（54）及び吸込口（55）が形成されている。吹出口（54）は、収容空間（52）に臨むようにして下側を向いて開口している。吸込口（55）は、収容空間（52）に臨むようにして上側を向いて開口している。つまり、吹出口（54）と吸込口（55）とは、開放面（51）の内壁において、互いに向かい合うように形成されている。
【００４７】
ショーケース本体（50）には、吸込口（55）から吹出口（54）に至る循環通路（56）が設けられている。循環通路（56）は、ショーケース本体（50）の上下の壁面、及び後側の壁面に沿うようにして形成されている。つまり、循環通路（56）は、その縦断面が「コ」字状となっている。循環通路（56）には、上述した冷却熱交換器（42）と庫内ファン（43）とが設けられている。冷却熱交換器（42）は、循環通路（56）を流れる空気を冷却する冷却手段を構成している。庫内ファン（43）は、循環通路（56）で空気を送風する送風ファンを構成している。
【００４８】
循環通路（56）には、吹出口（54）の近傍に上述の吹出温度センサ（46）が設けられ、吸込口（55）の近傍に吸込温度センサ（47）が設けられている。吹出温度センサ（46）は、吹出口（54）から吹き出される吹出空気の温度（吹出温度Ｔｏ）を検出する。吸込温度センサ（47）は、吸込口（55）に吸い込まれる吸込空気の温度（吸込温度Ｔｉ）を検出する。
【００４９】
この冷却ショーケース（14）の冷却運転時には、ショーケース本体（50）の開放面（51）でエアカーテンが形成されるようになっている。つまり、冷却ショーケース（14）では、吹出口（54）から吹き出されて吸込口（55）に吸引されるまでの気流が、開放面（51）を覆うような気流となる。従って、この冷却ショーケース（14）では、ショーケース本体（50）の外側の空気が開放面（51）を通じて収容空間（52）内へ流入してしまうことが、このような気流（即ちエアカーテン）によって抑制されている。
【００５０】
また、実施形態１の冷却ショーケース（14）には、ショーケース本体（50）の外側であって、開放面（51）の近傍に風速計（71）が設けられている。風速計（71）は、ショーケース本体（50）の外側から開放面（51）へ向かう気流（以下、外部気流と称する）の風速Ｖａを検出する検知手段（70）を構成している。更に、冷却ショーケース（14）は、風速計（71）で検出した風速に基づいて、庫内ファン（43）の送風量を調節する制御手段（80）を備えている。つまり、制御手段（80）は、風速計（71）で検出した風速に応じて、庫内ファン（43）の回転速度を変更するように構成されている。この庫内ファン（43）の制御動作についての詳細は後述するものとする。
【００５１】
−冷凍装置の運転動作−
本実施形態の冷凍装置（10）の冷却運転動作について説明する。この冷却運転では、冷却ショーケース（14）内の冷蔵や冷凍がなされる。冷却運転時には、各圧縮機（21,22,61）及び各ファン（25,43）が運転状態となると共に、膨張弁（41）の開度が適宜調節される。なお、この冷却運転では、冷却ショーケース（14）の収容空間（52）の温度が、ユーザーが設定する設定温度に近づくように運転が行われる。具体的には、この冷却運転では、吹出温度センサ（46）で検出される吹出温度Ｔｏが設定温度に近づくように、各圧縮機（21,22,61）のＯＮ／ＯＦＦの切換制御、及び出力周波数の制御が行われ、更には膨張弁（41）の開度が調節される。つまり、この冷凍装置（10）の冷却運転中には、冷媒回路（11）の冷媒循環量が調節されることで、冷却熱交換器（42）の冷却能力が制御されている。
【００５２】
図１に示す第１圧縮機（21）及び第２圧縮機（22）から吐出された冷媒は、室外熱交換器（23）を流れる。室外熱交換器（23）では、冷媒が室外空気に放熱して凝縮する。室外熱交換器（23）で凝縮した冷媒は、レシーバ（24）を経て、室外回路（20）を流出する。この冷媒は、液側連絡配管（18）を流通して冷却回路（40）へ流入する。
【００５３】
冷却回路（40）に流入した冷媒は、膨張弁（41）を通過する際に減圧された後、冷却熱交換器（42）へ流入する。図２に示すように、冷却熱交換器（42）が設置される循環通路（56）では、庫内ファン（43）によって空気が送風されている。このため、冷却熱交換器（42）では、冷媒が循環通路（56）を流れる空気から吸熱して蒸発する。その結果、循環通路（56）を流れる空気が冷却される。循環通路（56）で冷却された空気は、吹出口（54）から収容空間（52）へ吹き出される。この吹出空気は、開放面（51）でエアカーテンを形成する気流となって吸込口（55）へ吸引される。この際、吹出空気の冷気が収容空間（52）の空気へ付与され、収容空間（52）に陳列された生鮮食品等が冷やされる。吸込口（55）へ吸い込まれた空気は、循環通路（56）へ流入し、冷却熱交換器（42）で再び冷却される。
【００５４】
一方、冷却熱交換器（42）で蒸発した冷媒は、ブースタ回路（60）へ流入する。この冷媒は、ブースタ圧縮機（61）で圧縮された後、ガス側連絡配管（19）を流通して室外回路（20）へ流入する。この冷媒は、第１圧縮機（21）及び第２圧縮機（22）に吸入されて再び圧縮される。
【００５５】
−庫内ファンの制御動作−
上述した冷却運転では、冷却ショーケース（14）の開放面（51）でエアカーテンを形成しながら、収容空間（52）の冷却を行うようにしている。ところが、このような冷却運転時においては、ショーケース本体（50）の外側の気流の影響により、エアカーテンの形成が阻害されてしまうことがある。具体的には、例えばスーパーやコンビニエンスストア等では、冷却ショーケース（14）の周囲に室内の空調を行うための空調機が配置されていることがある。そして、この空調機の吹出空気が、ショーケース本体（50）の開放面（51）へ向かって吹き出されることがある。このようにして、ショーケース本体（50）の外側から開放面（51）に向かう気流（外部気流）が生じると、この外部気流によってエアカーテンが崩れてしまうことがある。その結果、ショーケース本体（50）の外側の空気が、開放面（51）を通じて収容空間（52）へ侵入してしまい、この冷却ショーケース（14）の省エネ性が損なわれてしまうという問題が生じる。そこで、本実施形態に係る冷却ショーケース（14）では、上述したような外部気流の影響を考慮しながら、庫内ファン（43）の送風量を制御するようにしている。
【００５６】
具体的には、図２に示すような冷却運転時において、風速計（71）はショーケース本体（50）の外側から開放面（51）へ向かう外部気流の風速Ｖａを検出する。ここで、この風速Ｖａが比較的大きい場合には、エアカーテンが崩れやすい状態であると判断できる。従って、このような場合には、制御手段（80）は庫内ファン（43）のモータの回転速度を増大変化させる。その結果、吸込口（55）の吸込空気の風速、及び吹出口（54）の吹出空気の風速が大きくなり、開放面（51）ではより強固なエアカーテンが形成される。従って、外部気流の風速が比較的大きい条件下においても、充分なエアカーテンが形成され、収容空間（52）へ外気が侵入してしまうことが抑制される。
【００５７】
一方、風速計（71）で検出した外部気流の風速Ｖａが比較的小さい場合には、エアカーテンが充分形成できていると判断できる。従って、このような場合には、制御手段（80）が庫内ファン（43）のモータの回転速度を減少変化させる。その結果、庫内ファン（43）の送風量は小さくなるが、外部気流の風速Ｖａも小さいので、エアカーテンが崩れてしまうことがない。一方、このようにするとモータの動力が軽減されるため、この冷却ショーケース（14）の運転動力が低減される。
【００５８】
以上のように、制御手段（80）は、外部気流の風速Ｖａに応じて庫内ファン（43）の送風量を制御するようにしている。なお、このような庫内ファン（43）の制御は、風速計（71）の出力信号に対応するように庫内ファン（43）の回転速度を変更するものであっても良いし、例えば外部気流の風速Ｖａと庫内ファン（43）の送風量との関係が予め記憶されたデータベースを用いて、風速Ｖａに対応させて庫内ファン（43）の回転速度を段階的に変更するものであっても良い。
【００５９】
−実施形態１の効果−
上記実施形態１では、検知手段（70）としての風速計（71）で外部気流の風速Ｖａを検出し、この風速Ｖａに応じて庫内ファン（43）の送風量を調節するようにしている。このため、外部気流の風速が比較的大きくエアカーテンが崩れやすい状態では、ファン（43）の送風量を増大させてエアカーテンを確実に形成することができる。従って、空調機等の外部気流が大きくなっても、ショーケース本体（50）の収容空間（52）へ外気が侵入してしまうことを確実に抑制できる。一方、外部気流の風速が小さい状態では、庫内ファン（43）の送風量を減少させることで、庫内ファン（43）の動力を削減しながらエアカーテンを維持することができる。
【００６０】
また、上記実施形態１では、風速計（71）によって外部気流の風速を直接的に計測するようにしているので、実際の外部気流の風速を精度良く把握することができる。従って、外部気流の影響によってエアカーテンが崩れてしまうのを確実に防止することができる。
【００６１】
−実施形態１の変形例−
上記実施形態１では、吹出温度センサ（46）で検出した吹出温度Ｔｏが設定温度に近づくように冷媒回路（11）の冷媒循環量、つまり冷却熱交換器（42）の冷却能力を調節するようにしている。しかしながら、吸込温度センサ（47）で検出した吸込温度Ｔｉが設定温度に近づくように冷却熱交換器（42）の冷却能力を調節するようにしても良い。また、例えば収容空間（52）に庫内空気温度センサを設置し、この庫内空気温度センサで検出した庫内空気の温度（庫内温度Ｔｒ）が設定温度に近づくように冷却熱交換器（42）の冷却能力を調節するようにしても良い。
【００６２】
《発明の実施形態２》
実施形態２に係る冷凍装置（10）は、上記実施形態１と冷却ショーケース（14）の構成、及び庫内ファン（43）の制御動作が異なるものである。具体的には、実施形態２の冷却ショーケース（14）には、実施形態１の風速計（71）に代わって庫外温度センサ（72）が設けられている。庫外温度センサ（72）は、ショーケース本体（50）の外側であって、開放面（51）の近傍に設けられている。この庫外温度センサ（72）は、ショーケース本体（50）の外側の空気の温度、つまりショーケース本体（50）から開放面（51）へ向かう外部気流の温度を検出する。
【００６３】
実施形態２では、吹出温度センサ（46）と吸込温度センサ（47）と庫外温度センサ（72）とが、外部気流の風速を示す指標を求める検知手段（70）を構成している。つまり、検知手段（70）は、庫外温度センサ（72）の検出温度（庫外温度Ｔａ）と、吹出温度センサ（46）の検出温度（吹出温度Ｔｏ）と、吸込温度センサ（47）の検出温度（吸込温度Ｔｉ）とを、外部気流の風速を示す指標（風速指標）として検出するように構成されている。
【００６４】
また、実施形態２の制御手段（80）には、これらの風速指標に基づいて、空気循環量αを算出する算出部（81）が設けられている。空気循環量αは、吹出口（54）の吹出空気のうち吸込口（55）に吸引される空気の風量をＱｏとし、吸込口（55）の吸込空気の風量をＱｉとした場合に、風量Ｑｉに対する風量Ｑｏの比（Ｑｏ／Ｑｉ）であり、吹出口（54）からの吹出空気がどれだけ吸込口（55）に吸引されたかを示すものである。具体的には、空気循環量αは、以下のような式によって求められる。
【００６５】
吹出口（54）の吹出空気の吹出温度をＴｏとし、吸込口（55）の吸込空気の吸込温度をＴｉとし、ショーケース本体（50）の外部から開放面（51）内に送られて吸込口（55）に吸引される空気の風量（即ち外部気流の風量）をＱａとし、外部気流の温度（庫外温度）をＴａとすると、熱収支の関係により（１）式が成立する。なお、この（１）式では、各空気の比熱が同じであるとして、これらの比熱を考慮していない。
【００６６】
Ｑｉ×Ｔｉ＝Ｑｏ×Ｔｏ＋Ｑａ×Ｔａ・・・・・（１）
ここで、上述のように空気循環率α＝（Ｑｏ／Ｑｉ）であるから、これを（１）式に代入すると（２）式が得られる。
【００６７】
Ｔｉ＝α×Ｔｏ＋（１−α）×Ｔａ・・・・・・（２）
この（２）式を展開すると（３）式が得られる。
【００６８】
α＝（Ｔａ−Ｔｉ）／（Ｔａ−Ｔｏ）・・・・・（３）
以上のように、算出部（81）は、（３）式を用いて庫外温度Ｔａと吸込温度Ｔｉと吹出温度Ｔｏとから空気循環率αを算出する。
【００６９】
更に、実施形態２の制御手段（80）には、ショーケース本体（50）の開放面（51）でエアカーテンを良好に形成するための最適な空気循環率（最適空気循環率）αsetが設定されている。つまり、制御手段（80）には、最適空気循環率αsetを業者等が任意に設定可能な設定部が設けられている。
【００７０】
−庫内ファンの制御動作−
実施形態２の冷却ショーケース（14）の冷却運転時には、各温度センサ（46,47,72）によって庫外温度Ｔａ、吹出温度Ｔｏ、及び吸込温度Ｔｉが適宜検出される。次に、算出部（81）は、上記（３）式によって空気循環率αを算出する。ここで、例えば算出部（81）で算出した空気循環率αが最適空気循環率αsetよりも小さい場合、吹出空気が吸込口（55）にあまり多く吸引されておらず、その分だけ外部気流が吸込口（55）に吸引されていることになる。つまり、空気循環率αが比較的小さい場合には、外部気流の風量Ｑａ、ひいては外部気流の風速Ｖａが大きくなっており、エアカーテンが崩れやすい状態であると判断できる。従って、このような場合には、制御手段（80）が庫内ファン（43）の送風量を増大変化させる。その結果、より強固なエアカーテンが形成されて外部気流が吸込口（55）に吸引されにくくなる。ここで、庫外温度Ｔａは吸込温度Ｔｉよりも高温であるため、吸込口（55）に吸引される外部気流の風量が少なくなると、吸込温度Ｔｉが小さくなる。このため、上記（３）式で求まる空気循環率αは、最適空気循環率αsetに近づくように増大する。
【００７１】
一方、例えば算出部（81）で算出した空気循環率αが最適空気循環率αsetよりも大きい場合、吹出空気が多く吸込口（55）に吸引されていることになる。つまり、空気循環率αが比較的大きい場合には、外部気流の風量Ｑａ、ひいては外部気流の風速Ｖａが小さくなっており、エアカーテンが充分形成されている状態であると判断できる。従って、このような場合には、制御手段（80）が庫内ファン（43）の送風量を減少変化させる。その結果、庫内ファン（43）のモータ動力が軽減されるが、エアカーテンは維持されたままである。また、この際には、吸込口（55）に吸引される外部気流の風量が多くなるので、吸込温度Ｔｉが大きくなり、空気循環率αは、最適空気循環率αsetに近づくように減少する。
【００７２】
以上のように、制御手段（80）は、算出部（81）で算出した空気循環率αが、最適空気循環率αsetに維持されるように、庫内ファン（43）の送風量を適宜変更する。その結果、ショーケース本体（50）の開放面（51）では、常に充分なエアカーテンが維持され、同時に庫内ファン（43）の動力の削減が図られる。
【００７３】
−実施形態２の効果−
実施形態２では、冷却ショーケース（14）に３つの温度センサ（46,47,72）を設け、吹出温度Ｔｏと吸込温度Ｔｉとを外部気流の風速指標として検出すると共に、この風速指標によって求めた空気循環率αに基づいて庫内ファン（43）の送風量を制御するようにしている。このため、実施形態２においても、エアカーテンが崩れ易い状態では、庫内ファン（43）の送風量を増大させてエアカーテンを確実に形成でき、エアカーテンが充分形成されている状態では、庫内ファン（43）の送風量を低減してモータ動力の削減を図ることができる。
【００７４】
また、実施形態２では、比較的安価である温度センサだけを利用して、庫内ファン（43）の送風量を最適に制御することができる。また、吹出温度センサ（46）や吸込温度センサ（47）は、実施形態１と同様、冷却熱交換器（42）の冷却能力の調節にも利用されている。つまり、実施形態２では、冷却熱交換器（42）の冷却能力の制御と、庫内ファン（43）の送風量の制御との双方において、吹出温度センサ（46）や吸込温度センサ（47）を併用することができる。
【００７５】
−実施形態２の変形例−
上記実施形態２では、算出部（81）が空気循環率αを求めているようにしているが、この空気循環率αに代わって外気侵入率βを求めるようにしても良い。この外気侵入率βは、吸込口（55）の吸込空気の風量Ｑｉに対する外部気流の風量Ｑａの比（Ｑａ／Ｑｉ）であり、外部気流が吸込口（55）にどれだけ吸引されているかを表すものである。この外気侵入率βを、上述した（１）式に代入して展開すると（４）式が得られる。
【００７６】
β＝（Ｔｉ−Ｔｏ）／（Ｔａ−Ｔｏ）・・・・・（４）
従って、この（４）式によって算出部（81）で外気侵入率βを算出させ、この外気侵入率βが、任意に設定される最適外気侵入率βに近づくように、制御手段（80）で庫内ファン（43）の送風量を調節するようにしても良い。
【００７７】
また、上記実施形態２において、庫内ファン（43）の送風量、つまり吸込口（55）の吸込空気の風量Ｑｉを検出し、この風量Ｑｉを考慮して庫内ファン（43）の送風量を更に変更するようにしても良い。具体的には、この風量Ｑｉは、吹出空気のうち吸込口（55）に吸い込まれる空気の風量Ｑｏと、外部気流の風量Ｑａの和（Ｑｉ＝Ｑｏ＋Ｑａ）であるので、この式を上述した（３）式に代入すると（５）式や（６）式が得られる。
【００７８】
Ｑｏ＝（（Ｔｉ−Ｔａ）／（Ｔｏ−Ｔａ））×Ｑｉ・・・・・（５）
Ｑａ＝（（Ｔｉ−Ｔｏ）／（Ｔａ−Ｔｏ））×Ｑｉ・・・・・（６）
従って、検出した庫内ファン（43）の送風量Ｑｉ、及び各温度センサ（46,47,72）の検出値Ｔｉ，Ｔａ，Ｔｏを（５）式や（６）式に当てはめることで、現状の風量Ｑｏや風量Ｑａを把握することができる。なお、これらの風量Ｑｏや風量Ｑａは、外部気流の風速Ｖａを示す指標となる。従って、制御手段（80）によって、例えば算出された風量Ｑｏが所定値以上となるように庫内ファン（43）の送風量を調節する、あるいは算出された風量Ｑａが所定値以下となるように庫内ファン（43）の送風量を調節することで、エアカーテンを一層確実に形成することができる。なお、庫内ファン（43）の送風量を検知する手段としては、循環通路（56）に配置される流量計や風速計、あるいは庫内ファン（43）のモータの回転速度計やモータの電流／電力計等が挙げられる。
【００７９】
また、例えば冷却ショーケース（14）の周囲の温度がほとんど変わらないような条件下では、庫外温度センサ（72）を省略する構成とすることもできる。つまり、吹出温度センサ（46）で検出した吹出温度Ｔｏと、吸込温度センサ（47）で検出した吸込温度Ｔｉとの双方のみを外部気流の風速指標として用いるようにしても良い。この場合には、例えば吸込温度Ｔｉと吹出温度Ｔｏの温度差ΔＴ１を算出し、制御手段（80）で温度差ΔＴ１に応じて庫内ファン（43）の風量を調節するようにしても良い。具体的には、例えばΔＴ１が比較的大きい場合には、エアカーテンが崩れており、外部気流が吸込口（55）に多く吸い込まれていると判断できる。従って、このような場合には、庫内ファン（43）の送風量を増大変化させる。一方、ΔＴ１が比較的小さい場合には、エアカーテンが充分形成されており、外部気流が吸込口（55）にほとんど吸い込まれていないと判断できる。従って、このような場合には、庫内ファン（43）の送風量を減少変化させる。
【００８０】
更に、冷却ショーケース（14）と同一空間に設けられる空調機の温度センサを、実施形態２の庫外温度センサ（72）として用いるようにしても良い。この場合、例えば空調機の室内ユニットの吸込口等に設けられる室内温度センサからの出力信号を制御手段（80）に入力させ、上述と同様の庫内ファン（43）の制御を行うようにすれば良い。
【００８１】
《発明の実施形態３》
実施形態３に係る冷凍装置（10）は、上記実施形態１及び２と冷却ショーケース（14）の構成、及び庫内ファン（43）の制御動作が異なるものである。具体的には、実施形態３の冷却ショーケース（14）には、庫内温度センサ（73）が設けられている。庫内温度センサ（73）は、ショーケース本体（50）の収容空間（52）であって、開放面（51）の近傍に設けられている。この庫内温度センサ（73）は、ショーケース本体（50）の収容空間（52）の空気の温度を検出する。実施形態３では、この庫内温度センサ（73）が、外部気流の風速を示す指標を求める検知手段（70）を構成している。つまり、検知手段（70）は、庫内温度センサ（73）の検出温度（庫内温度Ｔｒ）を、外部気流の風速を示す指標（風速指標）として検出するように構成されている。
【００８２】
実施形態３の制御手段（80）は、庫内温度Ｔｒに応じて庫内ファン（43）の送風量を調節するように構成されている。また、制御手段（80）には、エアカーテンが良好に形成されている場合の最適な庫内温度（最適庫内温度）Ｔｒsetが設定されている。つまり、制御手段（80）には、最適庫内温度Ｔｒsetを業者等が任意に設定可能な設定部が設けられている。
【００８３】
−庫内ファンの制御動作−
実施形態３の冷却ショーケース（14）の冷却運転時には、庫内温度センサ（73）によって庫内温度Ｔｒが適宜検出される。制御手段（80）は、この庫内温度Ｔｒが上記最適庫内温度Ｔｒsetに近づくように庫内ファン（43）の送風量を変更する。
【００８４】
具体的には、例えば庫内温度Ｔｒが最適庫内温度Ｔｒsetを下回る場合、収容空間（52）に外気が侵入していると判断できる。つまり、庫内温度Ｔｒが比較的低い場合には、外部気流の風速Ｖａが大きくなっており、エアカーテンが崩れていると判断できる。従って、このような場合には、制御手段（80）が庫内ファン（43）の送風量を増大変化させる。その結果、より強固なエアカーテンが形成されて、収容空間（52）への外気の侵入が抑制され、庫内温度Ｔｒが最適庫内温度Ｔｒsetに近づくように高くなる。
【００８５】
一方、庫内温度Ｔｒが最適庫内温度Ｔｒsetを上回る場合、収容空間（52）には外気がほとんど侵入していないと判断できる。つまり、庫内温度Ｔｒが比較的高い場合には、外部気流の風速Ｖａが小さくなっており、エアカーテンが充分形成されている状態であると判断できる。従って、このような場合には、制御手段（80）が庫内ファン（43）の送風量を減少変化させる。その結果、庫内ファン（43）のモータ動力が軽減されるが、エアカーテンは維持されたままである。
【００８６】
−実施形態３の効果−
実施形態３では、庫内温度センサ（73）で検出した庫内温度Ｔｒに基づいて、庫内ファン（43）の送風量を制御するようにしている。このため、実施形態３においても、エアカーテンが崩れやすい状態では、庫内ファン（43）の送風量を増大させてエアカーテンを確実に形成でき、エアカーテンが充分形成されている状態では、庫内ファン（43）の送風量を低減してモータ動力の削減を図ることができる。
【００８７】
また、実施形態３では、一つの温度センサのみを利用して、庫内ファン（43）の送風量を最適に制御することができ、冷却ショーケース（14）の構成の簡素化を図ることができる。また、このような制御では、収容空間（52）の庫内温度が最適庫内温度Ｔｒに維持されるので、生鮮食品等の貯蔵物を確実に冷却することができる。なお、この最適庫内温度Ｔｒとして、上述した冷却熱交換器（42）の設定温度（目標温度）を利用するようにしても良い。
【００８８】
更に、上記実施形態３では、庫内温度センサ（73）をショーケース本体（50）の開放面（51）の近傍に配置している。ここで、例えば外部気流の風速が比較的大きくなりエアカーテンが崩れると、特に開放面（51）近傍の温度が高くなり易い。また逆に、外部気流の風速が比較的小さくエアカーテンが充分形成されている場合には、この開放面（51）近傍の温度も低くなり易い。従って、この開放面（51）近傍に庫内温度センサ（73）を設けることで、エアカーテンが崩れているか否かをより正確に検出することができ、収容空間（52）への外気の侵入を確実に抑制できる。
【００８９】
−実施形態３の変形例−
庫内ファン（43）の送風量の制御においては、庫内温度センサ（73）で検出した庫内温度Ｔｒと、吹出温度センサ（46）で検出した吹出温度Ｔｏとの双方を用いるようにしても良い。具体的には、庫内温度Ｔｒと吹出温度Ｔｏの温度差ΔＴ２を算出し、このΔＴ２に応じて庫内ファン（43）の送風量を変更させてもよい。この場合、例えばΔＴ２が比較的大きい場合には、庫内温度Ｔｒが吹出温度Ｔｏよりも相対的に高くなっていることから、収容空間（52）に外気が侵入している、つまりエアカーテンが崩れていると判断できる。従って、この場合には、庫内ファン（43）の送風量を増大変化させる。一方、例えばΔＴ２が比較的小さい場合には、庫内温度Ｔｒが吹出温度Ｔｏとほぼ同じであるので、収容空間（52）へは外気がほとんど侵入しておらず、エアカーテンが充分に形成されていると判断できる。従って、この場合には、庫内ファン（43）の送風量を減少変化させ、庫内ファン（43）の動力の削減を図ることができる。
【００９０】
また、冷却熱交換器（42）の冷却能力の制御に上記庫内温度センサ（73）を用いるようにしても良い。この場合、冷却熱交換器（42）の冷却能力の制御と、庫内ファン（43）の送風量の制御との双方に庫内温度センサ（73）を併用することができる。
【００９１】
《その他の実施形態》
上記実施形態については、以下のような構成としてもよい。
【００９２】
上記実施形態の冷凍装置（10）では、室外ユニット（12）に対して１台の冷却ショーケース（14）を接続するようにしているが、例えば図５に示すように、室外ユニット（12）に対して２台以上の冷却ショーケース（14,14,…）を接続し、各冷却ショーケース（14,14,…）で上述した庫内ファン（43）の送風量制御を行うようにしても良い。この場合、一方の冷却ショーケース（14）のみにブースタユニット（16）を接続し、庫内温度を約−２０℃〜０℃の範囲で冷却する一方、他方の冷却ショーケース（14）にはブースタユニット（16）を接続せず、庫内温度を約０℃〜２０℃の範囲で冷却するようにしてもよい。
【００９３】
また、上記各実施形態について示した空気循環率αや外気侵入率βは、いわば外部気流の風速指標であり、これらの風速指標に基づいて庫内ファン（43）の送風量を調節するようにしても良い。また、上記各実施形態では、いずれも外部気流の風速を示す指標を求めるようにしているが、検知手段（70）によって外部気流の風量を示す指標を検出し、この風量に基づいて庫内ファン（43）の送風量を調節するようにしても良い。
【００９４】
なお、以上の実施形態は、本質的に好ましい例示であって、本発明、その適用物、あるいはその用途の範囲を制限することを意図するものではない。
【産業上の利用可能性】
【００９５】
以上説明したように、本発明は、ショーケース本体の開放面でエアカーテンを形成する冷却ショーケースに関し有用である。
【図面の簡単な説明】
【００９６】
【図１】実施形態に係る冷凍装置の冷媒回路の構成を示す配管系統図である。
【図２】実施形態１に係る冷却ショーケースの縦断面図である。
【図３】実施形態２に係る冷却ショーケースの縦断面図である。
【図４】実施形態３に係る冷却ショーケースの縦断面図である。
【図５】その他の実施形態に係る冷凍装置の冷媒回路の構成を示す配管系統図である。
【符号の説明】
【００９７】
10  冷凍装置
14  冷却ショーケース
42  冷却熱交換器（冷却手段）
43  庫内ファン（ファン）
46  吹出温度センサ（検知手段）
47  吸込温度センサ（検知手段）
50  ショーケース本体
51  開放面
52  収容空間
54  吹出口
55  吸込口
56  循環通路
71  風速計（検知手段）
72  庫外温度センサ（検知手段）
73  庫内温度センサ（検知手段）
80  制御手段
【図１】
2008164209.tif 000003
【図２】
2008164209.tif 000004
【図３】
2008164209.tif 000005
【図４】
2008164209.tif 000006
【図５】
2008164209.tif 000007